(57)【要約】【課題】コンロ本体３の上縁に外曲げフランジ４を形成し、カウンタトップ１に開設したコンロ開口１ａにコンロ本体を落とし込んだ状態で、外曲げフランジをコンロ開口の開口縁部に掛止し、金属製の平板で構成される天板５によりコンロ本体を外曲げフランジに亘って上方から覆うようにしたドロップイン式コンロであって、天板の後部を折り起してコンロ本体内に連通する通気口９を設けるものにおいて、天板を折り起すことにより天板で覆われなくなった外曲げフランジの部分が外観的に露出することによる体裁の悪化を防止する。【解決手段】天板５の折り起し部５ｂに対応する外曲げフランジ４の部分を覆う飾り枠１０を設ける。【選択図】  図２
2005003288.tif 000002
【特許請求の範囲】
【請求項１】
上面を開放面とする箱形のコンロ本体の上縁に外曲げフランジを形成し、コンロ本体をカウンタトップに開設したコンロ開口に落とし込んだ状態で、外曲げフランジをコンロ開口の開口縁部に掛止して、コンロ本体をカウンタトップに吊持させると共に、コンロ本体を外曲げフランジに亘って上方から覆う天板を設けて成るドロップイン式コンロであって、
天板を１枚の金属製平板で構成し、天板の後部を横方向全幅に亘って折り起すことによりコンロ本体内に連通する通気口を設けるものにおいて、
天板の折り起し部に対応する、天板で覆われなくなった外曲げフランジの部分を上方から覆う飾り枠を設けることを特徴とするドロップイン式コンロ。
【請求項２】
前記飾り枠は、外曲げフランジの上面に対向する上板部と、上板部の内縁からコンロ本体内に入り込むように垂下する内垂下板部と、上板部の外縁から外曲げフランジを囲うように垂下する外垂下板部とを有する断面形状に形成されることを特徴とする請求項１に記載のドロップイン式コンロ。
【請求項３】
前記飾り枠は、少なくとも、コンロ本体の左右の側壁部の上縁の外曲げフランジの前記折り起し部に対応する後部をコンロ本体の後壁部の上縁の外曲げフランジとのコーナ部に亘って覆う左右の側辺部分を有することを特徴とする請求項１または２に記載のドロップイン式コンロ。
【請求項４】
前記天板の下面側の肉を削って天板の後部を他部より肉薄にし、この肉薄部分の範囲内での折り起しで前記折り起し部を形成すると共に、天板の下面に形成される肉薄部分の境界となる段差に前記側辺部分の前端を突き当てることを特徴とする請求項３に記載のドロップイン式コンロ。
【請求項５】
前記各側辺部分に、前記折り起し部の下面との間の空間を塞ぐ目隠し板を立設することを特徴とする請求項３または４に記載のドロップイン式コンロ。
【請求項６】
上面を開放面とする箱形のコンロ本体の上縁に外曲げフランジを形成し、コンロ本体をカウンタトップに開設したコンロ開口に落とし込んだ状態で、外曲げフランジをコンロ開口の開口縁部に掛止して、コンロ本体をカウンタトップに吊持させると共に、コンロ本体を外曲げフランジに亘って上方から覆う天板を設けて成るドロップイン式コンロであって、
天板を１枚の金属製平板で構成し、天板の後部を横方向全幅に亘って折り起すことによりコンロ本体内に連通する通気口を設けるものにおいて、
天板の折り起し部の下方に形成される空間の左右の各側部に位置させて、この空間を塞ぐように目隠し板を設けることを特徴とするドロップイン式コンロ。
【発明の詳細な説明】
【０００１】
【発明の属する技術分野】
本発明は、コンロ本体をカウンタトップに開設したコンロ開口に落とし込むようにして配置するドロップイン式コンロに関する。
【０００２】
【従来の技術】
ドロップイン式コンロは、上面を開放面とする箱形のコンロ本体の上縁に外曲げフランジを形成し、コンロ本体をカウンタトップに開設したコンロ開口に落とし込んだ状態で、外曲げフランジをコンロ開口の開口縁部に掛止して、コンロ本体をカウンタトップに吊持させると共に、コンロ本体を外曲げフランジに亘って上方から天板で覆うように構成されている。
【０００３】
ここで、従来のドロップイン式コンロでは、一般的に、プレス成形された鋼板製の天板を用いている。このような鋼板製の天板は、剛性確保のため、外周縁部やバーナ用開口の開口縁部等が他部より隆起する形状に形成される（例えば、特許文献１参照。）。その結果、平坦に形成されるカウンタトップとの美的バランスを欠き、高級感は得られない。
【０００４】
また、高級感を得られるように、従来、主体部分をガラス板で構成した天板を用いるものも知られている。然し、この天板では、ガラス板の保護のため、ガラス板を金属製の外枠で囲わざるを得ず  （例えば、特許文献２参照。）、外枠の組み立てや外枠へのガラス板の装着作業が必要になって、コストが高くなる。
【０００５】
そこで、本願出願人は、先に、特願２００３−４０５２３号により、１枚の肉厚の金属製（例えば、アルミニウム製）の平板で構成される天板を用いたドロップイン式コンロを提案している。このものでは、天板を構成する平板自体が高剛性であるため、天板に剛性アップ用の隆起部を形成する必要がなく、天板の上面を平坦に形成して、カウンタトップとの美的バランスを確保でき、且つ、視覚的に重厚な感じになり、高級感が得られる。更に、外枠が不要になり、コストも安くなる。
【０００６】
ところで、ドロップイン式コンロでは、コンロ本体内のバーナの燃焼用空気を取入れたり、グリル付きコンロではグリルからの排気を排出するために、コンロ本体内に連通する通気口を天板の後部に形成することがある。そこで、本願出願人は、先に、特願２００３−２２５８３号により、金属製平板で天板を構成するドロップイン式コンロにおいて、天板の後部を横方向全幅に亘って折り起すことによりコンロ本体内に連通する通気口を設けるようにしたものも提案している。このものでは、天板の折り起し部により、通気口の前縁から通気口を覆うようにして後上方にのびるフードが構成され、煮こぼれ等の異物が通気口に落下することを防止できる。
【０００７】
【特許文献１】
特開２００２−２５７３５８号公報
【特許文献２】
特開２００２−１３７３９号公報
【０００８】
【発明が解決しようとする課題】
ところで、上記先願の如く、金属製平板から成る天板の後部を折り起して通気口を設けるものでは、カウンタトップのコンロ開口の開口縁部に掛止されるコンロ本体の外曲げフランジの天板の折り起し部に対応する部分、即ち、コンロ本体の後壁部の上縁の外曲げフランジと、コンロ本体の左右の側壁部の上縁の外曲げフランジの前記折り起し部に対応する後部とが天板で覆われなくなる。そのため、外曲げフランジの天板の折り起し部に対応する部分が外観的に露出してしまい、体裁が損なわれる不具合がある。
【０００９】
本発明は、以上の点に鑑み、外曲げフランジの天板の折り起し部に対応する部分が外観的に露出することを防止して、上記先願のものにおける不具合を解消したドロップイン式コンロを提供することをその課題としている。
【００１０】
【課題を解決するための手段】
上記課題を解決するために、本発明の第１の特徴によれば、上面を開放面とする箱形のコンロ本体の上縁に外曲げフランジを形成し、コンロ本体をカウンタトップに開設したコンロ開口に落とし込んだ状態で、外曲げフランジをコンロ開口の開口縁部に掛止して、コンロ本体をカウンタトップに吊持させると共に、コンロ本体を外曲げフランジに亘って上方から覆う天板を設けて成るドロップイン式コンロであって、天板を１枚の金属製平板で構成し、天板の後部を横方向全幅に亘って折り起すことによりコンロ本体内に連通する通気口を設けるものにおいて、  天板の折り起し部に対応する、天板で覆われなくなった外曲げフランジの部分を上方から覆う飾り枠を設けている。
【００１１】
上記の構成によれば、天板で覆われなくなった外曲げフランジの部分が飾り枠により覆われるため、外観的に露出せず、体裁が良好になる。
【００１２】
特に、飾り枠を、外曲げフランジの上面に対向する上板部と、上板部の内縁からコンロ本体内に入り込むように垂下する内垂下板部と、上板部の外縁から外曲げフランジを囲うように垂下する外垂下板部とを有する断面形状に形成すれば、外曲げフランジが飾り枠により上方だけでなく内方及び外方からも覆われるようになり、外観的にすっきりする。更に、コンロ本体の内壁面への内垂下板部の当接又は外曲げフランジの外縁への外垂下板部の当接により、飾り枠が位置ずれすることも防止できる。
【００１３】
ところで、天板で覆われなくなる外曲げフランジの部分を全て覆うには、飾り枠を、コンロ本体の後壁部の上縁の外曲げフランジを覆う後辺部分と、コンロ本体の左右の側壁部の上縁の外曲げフランジの前記折り起し部に対応する後部を覆う左右の側辺部分とを有するものに構成することが必要になる。然し、コンロ本体の左右の側壁部の上縁の外曲げフランジは見え易いのに対し、コンロ本体の後壁部の上縁の外曲げフランジは、天板の折り起し部の陰に隠れて見えにくいため、後辺部分を省略して、コンロ本体の側壁部の上縁の外曲げフランジの前記折り起し部に対応する後部をコンロ本体の後壁部の上縁の外曲げフランジとのコーナ部に亘って覆う左右の側辺部分だけで飾り枠を構成することも可能である。
【００１４】
また、折り起し部の曲げ加工を容易にするには、天板の下面側の肉を削って天板の後部を他部より肉薄にし、この肉薄部分の範囲内での折り起しで折り起し部を形成することが望まれる。この場合、天板の下面に形成される肉薄部分の境界となる段差に飾り枠の側辺部分の前端を突き当てるようにすれば、天板と飾り枠との一体感が得られ、体裁が一層良好になり、更に、飾り枠が前方に位置ずれすることも防止でき、有利である。
【００１５】
また、本発明の第２の特徴によれば、上面を開放面とする箱形のコンロ本体の上縁に外曲げフランジを形成し、コンロ本体をカウンタトップに開設したコンロ開口に落とし込んだ状態で、外曲げフランジをコンロ開口の開口縁部に掛止して、コンロ本体をカウンタトップに吊持させると共に、コンロ本体を外曲げフランジに亘って上方から覆う天板を設けて成るドロップイン式コンロであって、天板を１枚の金属製平板で構成し、天板の後部を横方向全幅に亘って折り起すことによりコンロ本体内に連通する通気口を設けるものにおいて、天板の折り起し部の下方に形成される空間の左右の各側部に位置させて、この空間を塞ぐように目隠し板を設けている。
【００１６】
上記の構成によれば、側方から見て、通気口が目隠し板の影に隠れ、体裁が良好になる。尚、上記飾り枠と目隠し板とを併用することも可能であり、例えば、飾り枠の各側辺部分に、天板の折り起し部の下面との間の空間を塞ぐ目隠し板を立設しても良い。また、コンロ本体の各側壁部の上縁の外曲げフランジの後部外側に位置させて、天板の折り起し部の下面とカウンタトップの上面との間の空間を塞ぐように目隠し板を設けることも可能である。この場合は、天板の折り起し部に対応する外曲げフランジの部分が側方から見て目隠し板の陰に隠れるため、飾り枠を省略できる。
【００１７】
【発明の実施の形態】
図１は、システムキッチンのカウンタトップ１にドロップイン式コンロ２を組み込んだ状態を示している。このコンロ２は、図２に示す如く、上面を開放面とする箱形のコンロ本体３を備えている。コンロ本体３の上縁には外曲げフランジ４が形成されており、コンロ本体３をカウンタトップ１に開設したコンロ開口１ａに落とし込んだ状態で、外曲げフランジ４をコンロ開口１ａの開口縁部に掛止して、コンロ本体３をカウンタトップ１に吊持させている。そして、天板５によりコンロ本体３を外曲げフランジ４に亘って上方から覆うようにしている。尚、外曲げフランジ４の周縁部にはパッキン４ａが装着されており、外曲げフランジ４をパッキン４ａを介してカウンタトップ１に着座させている。
【００１８】
コンロ本体３内には、熱源たる左右一対のバーナ６，６が配置されている。天板５には、左右のバーナ６，６を臨ませる左右一対のバーナ用開口が開設されており、天板５上に、各バーナ用開口を囲うようにして左右一対の五徳７，７を載置している。また、天板５上に、前側中央部に位置させて、各バーナ６用の左右一対の操作摘み８，８を配置している。
【００１９】
天板５は、１枚の金属製、例えば、アルミニウム製の比較的肉厚（例えば、厚さ６ｍｍ）の平板で構成されている。天板５の下面の後部を除く周縁部には、パッキン５ａが取付けられており、カウンタトップ１のコンロ開口１ａの開口縁部に掛止されるコンロ本体３の外曲げフランジ４の外側において、天板５をパッキン５ａを介してカウンタトップ１に着座させている。
【００２０】
天板５の後部は、横方向全幅に亘って折り起されており、これによりコンロ本体３内に連通する通気口９を形成し、バーナ６の燃焼用空気を通気口９から取入れられるようにしている。更に、天板５の折り起し部５ｂにより通気口９の前縁から通気口９を覆うようにして後上方にのびるフードを構成し、煮こぼれ等の異物が通気口９に落下することを防止している。また、折り起し部５ｂの曲げ加工を容易にするため、天板５の下面側の肉を削って天板５の後部を他部より肉薄にし、この肉薄部分の範囲内での折り起しで折り起し部５ｂを形成している。
【００２１】
ところで、上記の如く折り起し部５ｂを形成すると、折り起し部５ｂに対応する外曲げフランジ４の部分、即ち、コンロ本体３の後壁部３ａの上縁の外曲げフランジ４と、コンロ本体３の左右の側壁部３ｂの上縁の外曲げフランジ４の折り起し部５ｂに対応する後部とが天板５で覆われなくなり、これら外曲げフランジ４の部分が露出して体裁が損なわれる。
【００２２】
そこで、本実施形態では、折り起し部５ｂに対応する露出した外曲げフランジ４の部分を覆う飾り枠１０を設けている。飾り枠１０は、図３に示す如く、コンロ本体３の左右の側壁部３ｂの上縁の外曲げフランジ４の前記折り起し部５ｂに対応する後部をコンロ本体３の後壁部３ａの上縁の外曲げフランジ４とのコーナ部に亘って覆う左右の側辺部分１０ｂ，１０ｂと、両側辺部分１０ｂ，１０ｂ間に位置してコンロ本体３の後壁部３ａの上縁の外曲げフランジ４を覆う後辺部分１０ａとを有する形状に一体成形されている。そのため、コンロ本体３の後壁部３ａの上縁の外曲げフランジ４、コンロ本体３の左右の側壁部３ｂの上縁の外曲げフランジ４の折り起し部５ｂに対応する後部、及び側壁部３ｂの上縁の外曲げフランジ４と後壁部３ａの上縁の外曲げフランジ４とのコーナ部が全て飾り枠１０で覆われることになり、これらが外観的に露出して体裁を損なうことを防止できる。
【００２３】
後辺部分１０ａと各側辺部分１０ｂは、夫々、外曲げフランジ４の上面に対向する上板部１０１と、上板部１０１の内縁からコンロ本体３内に入り込むように垂下する内垂下板部１０２と、上板部１０１の外縁から外曲げフランジ４を囲うように垂下して、パッキン４ａの外側でカウンタトップ１に着座する外垂下板部１０３とを有する断面形状に形成されている。そのため、外曲げフランジ４が飾り枠１０により上方だけでなく内方及び外方からも覆われるようになり、外観的にすっきりする。更に、コンロ本体３の後壁部３ａへの後辺部分１０ａの内垂下板部１０２の当接により、飾り枠１０が後方に位置ずれすることを防止できると共に、コンロ本体３の各側壁部３ｂへの各側辺部分１０ｂの内垂下板部１０２の当接により、飾り枠１０が横方向に位置ずれすることも防止できる。
【００２４】
また、本実施形態では、天板５の下面に形成される天板後部の肉薄部分の境界となる段差５ｃに飾り枠１０の各側辺部分１０ｂの前端を突き当てるようにしている。そのため、天板５と飾り枠１０との一体感が得られ、体裁が一層良好になり、更に、飾り枠１０が前方に位置ずれすることも防止できる。尚、飾り枠１０の後辺部分１０ａの外垂下板部１０３を外曲げフランジ４の周縁のパッキン４ａに当接させて、飾り枠１０の前方への位置ずれを防止することも可能である。
【００２５】
図４及び図５は第２の実施形態を示しており、上記第１実施形態と同様の部材に上記と同一の符号を付している。第２実施形態では、天板５の折り起し部５ｂの下方に形成される空間の左右の各側部に位置させて、この空間を塞ぐように目隠し板１１を設けている。具体的には、飾り枠１０の各側辺部分１０ｂに、天板５の折り起し部５ｂの下面との間の空間を塞ぐ三角形状の目隠し板１１を立設している。尚、本実施形態では、目隠し板１１をその下端の曲げフランジ部１１ａにおいて飾り枠１０の各側辺部分１０ｂの上面にスポット溶接等により固設している。
【００２６】
これによれば、側方から見て、通気口９が目隠し板１１の陰に隠れることになる。従って、外曲げフランジ４に加えて通気口９も見えなくなり、体裁が一層良好になる。
【００２７】
また、第２実施形態では、飾り枠１０の外垂下板部１０３の内面に、外垂下板部１０３の下縁より若干下方に張出すパッキン１０４を取り付けている。そして、飾り枠１０をパッキン１０４を介してカウンタトップ１に着座させ、カウンタトップ１の傷付きを防止すると共に、煮こぼれ等が飾り枠１０の内側に侵入することを防止できるようにしている。この場合、天板５のパッキン５ａと飾り枠１０のパッキン１０４とでコンロ本体３の上縁の外曲げフランジ４が全周に亘って囲われることになり、コンロ本体３の外曲げフランジ４にパッキン４ａを装着しなくても、コンロ開口１ａ内への煮こぼれ等の侵入を防止できる。
【００２８】
以上、後辺部分１０ａと左右の側辺部分１０ｂとで構成される飾り枠１０を用いた実施形態について説明したが、コンロ本体３の後壁部３ａの上縁の外曲げフランジ４は折り起し部５ｂの影に隠れて見えにくいため、後辺部分１０ａを削除し、コンロ本体３の左右の側壁部３ｂの上縁の外曲げフランジ４の前記折り起し部５ｂに対応する後部をコンロ本体３の後壁部３ａの上縁の外曲げフランジ４とのコーナ部に亘って覆う左右の側辺部分１０ｂ，１０ｂだけで飾り枠１０を構成することも可能である。特に、側辺部分１０ｂに目隠し板１１を立設する場合には、後辺部分１０ａは不要である。
【００２９】
また、図６に示す第３実施形態のように、コンロ本体３の各側壁部３ｂの上縁の外曲げフランジ４の後部外側に位置させて、天板５の折り起し部５ｂの下面とカウンタトップ１の上面との間の空間を塞ぐように目隠し板１１を設けることも可能である。この場合は、天板５の折り起し部５ｂに対応する外曲げフランジ４の部分が側方から見て目隠し板１１の陰に隠れるため、飾り枠１０を省略できる。尚、本実施形態では、折り起し部５ｂの下面側縁部に目隠し板１１の上縁部をねじ等で固定している。この場合、目隠し板１１の下縁にパッキンを取付けても良い。
【００３０】
以上、天板５の後部を折り起して、バーナ６の燃焼用空気を取入れるための通気口９を形成する実施形態について説明したが、グリル付きのドロップイン式コンロであって、グリルからの排気を排出するための通気口を天板の後部を折り起して形成する場合にも、同様に本発明を適用できる。
【図面の簡単な説明】
【図１】本発明コンロの第１実施形態の斜視図。
【図２】図１のＩＩ−ＩＩ線で切断した中間部省略の拡大切断面図。
【図３】第１実施形態の飾り枠の斜視図。
【図４】第２実施形態の図２に対応する中間部省略の拡大切断面図。
【図５】第２実施形態の飾り枠の斜視図。
【図６】第３実施形態の要部の斜視図
【符号の説明】
１…カウンタトップ、１ａ…コンロ開口、２…ドロップイン式コンロ、３…コンロ本体、３ａ…後壁部、３ｂ…側壁部、４外曲げフランジ、５…天板、５ｂ…折り起し部、５ｃ…天板下面の段差、９…通気口、１０…飾り枠、１０ａ…後辺部分、１０ｂ…側辺部分、１０１…上板部、１０２…内垂下板部、１０３…外垂下板部、１１…目隠し板。
【図１】
2005003288.tif 000003
【図２】
2005003288.tif 000004
【図３】
2005003288.tif 000005
【図４】
2005003288.tif 000006
【図５】
2005003288.tif 000007
【図６】
2005003288.tif 000008